(57)【特許請求の範囲】
【請求項１】
送風機と、熱交換器とを備えたビルトイン型空気調和機において、 
前記送風機は、ファンモータベースとモータバンドにより固定されるファンモータを備え、 前記ファンモータベースは、前記ファンモータの軸方向に突出する仮掛け用爪を備え、前記モータバンドは、前記仮掛け用爪が挿通可能な挿通部と、前記仮掛け用爪が挿通不可能な係合部とで構成される仮掛け用孔を備えていることを特徴とするビルトイン型空気調和機。
【発明の詳細な説明】
【技術分野】
【０００１】
本発明の実施形態は、ビルトイン型空気調和機に関する。
【背景技術】
【０００２】
空気調和機本体を被空調室の天井裏に設置し、空気調和機本体内に収容された熱交換器により熱交換された空気を、吹き出しダクトを介して被空調室に供給する、いわゆるビルトイン型空気調和機がある。
この種の空気調和機は、本体内に空気を吸込み、熱交換された空気を被空調室へ供給するために送風機を備えている。
この送風機は、両側面に回転軸が突出する、いわゆる二軸モータであるファンモータと、このファンモータの両方の回転軸に取り付けられる多翼ファンと、この多翼ファンをそれぞれ収容するファンケーシングからなるものが用いられる。
この多翼ファンは翼に塵埃が付着しやすく、定期的にメンテナンスを行う必要がある。ビルトイン型空気調和機の場合、本体が天井裏に設置されるため、メンテナンスのために本体を天井裏から取り外すことは容易ではなく、通常、本体を天井裏に設置したままでメンテナンスが行われる。
送風機のメンテナンスのために、ファンモータをモータベースから着脱する必要があり、このとき、ファンモータが落下しないように支持する作業員と、ファンモータを上記モータベースに固定するための固定具を着脱する作業員の少なくとも二人が、空気調和機本体の近傍の天井に設けられた点検口から身体を乗り出して作業する必要があり、作業性が極めて悪いものである。
このような事情から、ファンモータの着脱に対するメンテナンス性の向上を図ったビルトイン型空気調和機が望まれていた。
【先行技術文献】
【特許文献】
【０００３】
【特許文献１】特開２００５−１６４０７３号公報
【発明の概要】
【発明が解決しようとする課題】
【０００４】
本発明が解決しようとする課題は、ファンモータの着脱が容易に行え、メンテナンス性が向上するビルトイン型空気調和機を提供するものである。
【課題を解決するための手段】
【０００５】
上記課題を達成するため、実施形態のビルトイン型空気調和機は、送風機と、熱交換器とを備える。前記送風機は、ファンモータベースとモータバンドにより固定されるファンモータを備える。前記ファンモータベースは、前記ファンモータの軸方向に突出する仮掛け用爪を備え、前記モータバンドは、前記仮掛け用爪が挿通可能な挿通部と、前記仮掛け用爪が挿通不可能な係合部とで構成される仮掛け用孔を備えている。
【図面の簡単な説明】
【０００６】
【図１】本発明の実施形態に係るビルトイン型空気調和機の据付け状態を示す側面図
【図２】同ビルトイン型空気調和機の縦断面図
【図３】同ビルトイン型空気調和機を下方から見上げた外観斜視図
【図４】同ビルトイン型空気調和機のモータベース組立を示す斜視図
【図５】同ビルトイン型空気調和機のファンモータの着脱工程を説明する図
【図６】同ビルトイン型空気調和機のモータベース組立の一部を拡大して示す斜視図
【発明を実施するための形態】
【０００７】
以下、発明を実施するための実施形態について図１〜図６を参照して説明する。  
図１（ａ）は、本体１の背面部から天井裏Ｔの空気を吸込むときのビルトイン空気調和装置１００の据付状態を示す側面図であり、図１（ｂ）は、本体１の下面部から天井裏Ｔの空気を吸込むときのビルトイン空気調和装置１００の据付状態を示す側面図である。
【０００８】
ビルトイン型空気調和機１００の本体１は、本体１の両側面に一対ずつ設けられた吊り金具９を被空調室Ｒの天井裏Ｔの梁材から垂設される吊ボルトＦにナット等で固定することで、天井裏Ｔに設置される。
【０００９】
本体１の正面部１ｆには、空気吹出し口１２が設けられ、この空気吹出し口１２には、少なくとも一つ以上の吹出しダクト１５が接続される。この吹出しダクト１５は、被空調室Ｒの天井面に設けられる図示しない１つ以上の天井吹出し口に連通される。すなわち、本体１から導出される熱交換空気は吹出しダクト１５を通り、上記天井吹出し口から被空調室Ｒ内へ吹出されて、被空調室Ｒ内の空調が行えるようになっている。なお、被空調室Ｒが広い場合は、上記天井吹出し口が分散して設けられ、室内の均一な空調が図られる。
【００１０】
図２は、図１（ａ）に示すビルトイン型空気調和機の断面図である。
本体１は、高さ方向寸法が、幅方向（紙面の表裏方向）の寸法および奥行き方向（紙面の左右方向）の寸法よりも短い薄型の矩形箱状をなす。本体１内には、本体１の幅方向に亘って、本体１を送風機室２と熱交換室３に区画する仕切り板４が設けられる。
本体１は、熱交換室３の下面部が下面板１ａで、送風機室２の下面部が遮風板１ｅで、上面部が天板１ｂで、手前側の側面部が側面板１ｃで、奥側の側面部が側面板１ｄでそれぞれ構成され、各板１ａ〜１ｅはそれぞれ金属薄板を板金加工して成形される。
本体１の正面部１ｆには、前述の空気吹出し口１２が設けられ、本体１の背面部には、空気吸込み口１１ｂを覆うように集塵フィルタ１３が取付けられる。
【００１１】
送風機室２には、本体１内に天井裏Ｔの空気を吸込む空気吸込み口１１が設けられる。この空気吸込み口１１は、下面部に設けられる空気吸込み口１１ａと、背面部に設けられる空気吸込み口１１ｂとからなる。すなわち、予め、本体１には、下面部および背面部に空気吸込み口１１ａ，１１ｂが設けられていて、据付け現場の事情に応じて、いずれか一方の空気吸込み口１１ａもしくは１１ｂが選択され、他方の空気吸込み口１１ａもしくは１１ｂが遮蔽板１ｅで閉塞される。
図１（ａ）に示す背面部吸込みの場合は、背面部の空気吸込み口１１ｂに集塵フィルタ１３が取付けられ、下面部の空気吸込み口１１aが遮蔽板１ｅで塞がれる。一方、図１（ｂ）に示す下面部吸込みの場合は、下面部の空気吸込み口１１aに集塵フィルタ１３が取付けられ、背面部の空気吸込み口１１ｂが遮蔽板１ｅで塞がれる。
【００１２】
図３は、ビルトイン型空気調和機を下方から見上げた外観斜視図であり、下面板１ａ、ドレンパン７および遮風板１ｅを取り外して本体１の内部を見せている。
送風機室２には、送風機５、電気部品箱１０が配置され、熱交換室３には、熱交換器６、ドレンパン７（図２）、ドレンポンプ８が配置される。
【００１３】
先ず、熱交換室３について説明する。ここに配置される熱交換器６は、図２に示すように、その両側端部に図示しない端板が配置され、この端板間に複数枚のアルミフィン６ａが所定の間隙を置いて並設され、上記両端板およびアルミフィン６ａに複数本の伝熱管６ｂが貫通されてなるフィンチューブ型の熱交換器である。
熱交換器６は、上記ドレンパン７上に、上下方向が斜めに傾斜した姿勢で載置される。これにより、薄型の本体１内に収容されながら必要な熱交換面積を確保することができる。
また、熱交換室３内における熱交換器６周辺および熱交換器６の空気吹出し口１２側には、断熱材が設けられる。
【００１４】
ドレンパン７は、冷房運転時に熱交換器６の熱交換作用で生成されるドレン水を受け、ドレン受け部７ａに溜める。ドレン受け部７ａの上方には、ドレンポンプ８（図３）が設けられ、このドレンポンプ８によりドレン受け部７ａに溜まったドレン水が本体１の外部に排水される。
ドレンパン７の下面は、本体１の下面部を構成する下面板１ａによって略全面が覆われる。
【００１５】
次に、送風機室２に配置される送風機５について説明する。送風機５は、図３に示すように、後述するモータベース組立２０に固定されるファンモータ１７を備えている。このファンモータ１７は、両側部から回転軸が突出する二軸モータである。それぞれの回転軸には、回転にともなって軸方向から空気を吸込んで周方向へ吹出す方式のファン（いわゆる多翼型ファン）１８が連結され、さらに各ファン１８はファンケーシング１９に収容される。
ファンケーシング１９の両側面には、空気を吸込むための吸込み口１９ａが開口され、仕切り板４側の端部には、図２に示すように、吹出しノズル１９ｂが形成される。この吹出しノズル１９ｂは、仕切り板４に開口される連通口２１を介して熱交換室３側に突出している。このように構成される送風機５により、送風機室２内に吸込まれた風が熱交換室３側へ送風される。
【００１６】
次に、モータベース組立２０について説明する。
図４（ａ）は、モータベース組立２０を分解した状態を下方から見上げた斜視図であり、図４（ｂ）は、モータベース組立２０にファンモータ１７を取付けた状態を下方から見上げた斜視図である。図５（ａ）〜（ｄ）は、モータベース組立２０にファンモータ１７を着脱する工程を説明する側面図であり、図６（ａ）〜（ｃ）は、モータベース２１の仮掛け用爪２７とモータバンド３１の仮掛け用孔３３ａとの掛合状態を示すためにモータベース組立２０の一部を拡大して示す斜視図である。
【００１７】
上述したように、モータベース組立２０は、送風機室２に取付けられ、ファンモータ１７を支持するモータベース２１と、このモータベース２１にファンモータ１７を押付け固定するモータバンド３１で構成される。
【００１８】
モータベース２１は、図４（ａ），（ｂ）に示すように、左右一対のモータ支持板部２２と、これらモータ支持板部２２相互間に架設され、モータ支持板部２２相互を一体に連結する連結板部２３とを備えていて、略コ字状に折曲げ形成される。
モータ支持板部２２の相互間隔寸法は、ファンモータ１７を構成するモータ本体１７ａの軸方向長さよりもある程度大に形成され、かつ、モータ本体１７ａの両側面に一体に突設されるボス部１７ｂ相互の端面間寸法よりも小に形成される。
【００１９】
それぞれのモータ支持板部２２の下端縁には、略半円状のモータ受け部２４が切欠加工されている。このモータ受け部２４の曲率半径は、ファンモータ１７の両側部にあるボス部１７ｂの曲率半径と略同一である。なお、実際にファンモータ１７をモータベース組立２０に固定支持する際は、ボス部１７ｂの周面に沿って防振用ゴム部材が装着されるので、モータ受け部２４の曲率半径はボス部１７ｂの曲率半径に防振用ゴム部材の肉厚を考慮した値となる。
【００２０】
それぞれのモータ支持板部２２のモータ受け部２４と連結板部２３との間の部位は、傾斜して形成されていて、この傾斜部分には、モータ支持板部２２の端縁から突出する固定用爪２５が一体に突設される。
【００２１】
連結板部２３の上部は、モータ支持板部２２の上端縁よりも上方へ延出されており、上端縁から外側に向けて天板用固定片２８が一体に折曲形成される。この天板用固定片２８には、２つの固定用孔部２８ａが設けられる。
【００２２】
モータ支持板部２２の下端縁で、モータ受け部２４を介して固定用爪２５とは反対側の部位には、外側でかつ水平方向に取付け片２６が一体に折曲形成される。それぞれの取付け片２６には、ねじ孔からなる取付け用孔２６ａが設けられる。これら取付け用孔２６ａの近傍で取付け片２６外側の端縁に、仮掛け用爪２７が一体に突設される。この仮掛け用爪２７は、図６（ａ）〜（ｃ）に示すように、取付け片２６から突出する基部２７ａと、この基部２７ａの先端部から両側に突出する突出部２７ｂとを備え、平面視でＴ字状に形成される。この仮掛け用爪２７は、後述するモータバンド３１の仮掛け用孔３３ａと掛合する。
【００２３】
それぞれのモータ支持板部２２の連結板部２３とは反対側の端縁に、内側に向けて仕切り板用固定片２９が一体に折曲形成される。それぞれの仕切り板用固定片２９には、上下に２つの固定用孔部２９ａが設けられる。それぞれの仕切り板用固定片２９の上端縁には、仕切り板用爪部２９ｂが一体に突設される。
また、それぞれのモータ支持板部２２の上端縁に、内側に向けて補強用片３０が一体に折曲成形される。
【００２４】
モータバンド３１は、図４（ａ）に示すように、長手方向寸法よりも幅方向寸法が小さい帯板状をなしている。モータバンド３１の一端部は、モータ支持板部２２の取付け片２６と略同一幅寸法の取付け部３２が設けられる。この取付け部３２には、取付け片２６の取付け用孔２６ａと対向する位置に取付け用孔３２ａが設けられる。この取付け部３２の外側の端縁には、仮掛け片３３が上方に向けて一体に折曲形成され、仮掛け片３３と対向する取付け部３２の内側の端縁には、位置決め用片３４が上方に向けて一体に折曲形成される。
【００２５】
モータバンド３１の仮掛け片３３には、前述の仮掛け用爪２７が挿脱自在に掛合する仮掛け用孔３３ａが設けられる。この仮掛け用孔３３ａは、図６（ａ）〜（ｃ）に示すように、仮掛け用爪２７の突出部２７ｂが挿通可能な幅寸法に形成される挿通部３３ａ２と、この挿通部３３ａ２から上方に向けて幅寸法が漸次減少し、仮掛け用孔３３ａの上端部において仮掛け用爪２７の突出部２７ｂが挿通不可能な幅寸法に形成される掛合部３３ａ１とで構成される。
【００２６】
モータバンド３１は、取付け部３２に連続して設けられ、半円状に形成される曲成部３５と、この曲成部３５の先端側の斜め直状に形成される直状部３６を有している。曲成部３５の曲率半径は、上記ファンモータ１７を構成するボス部１７ｂの曲率半径と略同一であり、実際の曲率半径はボス部１７ｂの曲率半径に上述の防振用ゴム部材の肉厚を考慮した値となる。
【００２７】
モータバンド３１の直状部３６の傾斜角度は、モータ支持板部２２の固定用爪２５が設けられる端縁の傾斜角度と略同一に形成される。直状部３６の先端部分には、スリット３７が設けられる。このスリット３７は、モータ支持板部２２の固定用爪２５が挿脱自在に掛合する幅寸法と長さ寸法に形成される。
【００２８】
次に、このように構成されるモータベース組立２０のビルトイン型空気調和機１００の本体１への取付けについて説明する。
本体１の組立時は、本体１を実際の設置状態とは天地を逆にして作業が行われる。すなわち、天板１ｂが底面側になり、この所定部位にモータベース組立２０を構成するモータベース２１を取付ける。具体的には、連結板部２３上端に形成される天板用固定片２８を本体１の天板１ｂ上に配置する。そして、仕切り板用固定片２９上端の仕切り板用爪部２９ｂを、仕切り板４に設けられる掛止用孔（図示しない）に挿入する。同時に、仕切り板用固定片２９を仕切り板４の板面に当接させてモータベース２１の位置を設定する。
【００２９】
この状態で天板用固定片２８の固定用孔部２８ａが天板１ｂに設けられる取付け用孔（図示しない）に対向するので、これら孔部に取付け具を挿入して締付固定する。また、仕切り板用固定片２９の固定用孔部２９ａが仕切り板４に設けられる取付け用孔（図示しない）に対向するので、これら孔部に取付け具を挿入して締付固定する。したがって、モータベース２１は本体１の天板１ｂと仕切り板４に取付け固定されることになる。
【００３０】
モータベース２１を本体１に取付けた後、ファンモータ１７のモータ本体１７ａをモータ支持板部２２相互間に挿入する。必然的に、モータ本体１７ａの両側面に突設されるボス部１７ｂがそれぞれのモータ支持板部２２におけるモータ受け部２４上に嵌る。
【００３１】
次に、モータバンド３１の直状部３６の先端部に設けられるスリット部３７をモータ支持板部２２の固定用爪２５に掛合する。ファンモータボス部１７ｂにモータバンド３１の曲成部３５を沿わせながら、モータバンド３１端部の取付け部３２をモータ支持板部２２の取付け片２６に対向させる。このとき、モータバンド３１の仮掛け用孔３３ａにモータ支持板部２２の仮掛け用爪２７を挿入し、モータバンド３１の仮掛け用片部３３と位置決め用片部３４との間に取付け片２６の両側縁が掛合することで、モータバンド３１の取付け部３２が位置決めされる。これにより、取付け部３２の取付け用孔３２ａと取付け片２６の取付け用孔２６ａとが対向する。これら孔部に取付け具３８を挿入して締結固定することで、図４（ｂ）に示すように、モータバンド３１がモータベース２１に固定され、ファンモータ１７がモータベース組立２０に固定される。
【００３２】
次に、このように構成されるビルトイン型空気調和機１００において、ファン１９の清掃やファンモータ１７の交換等のメンテナンス時におけるファンモータ１７の着脱作業について説明する。ファンモータ１７の着脱作業は、上述したように、本体１が設置場所に取り付けられた状態で行われる。
【００３３】
先ず、メンテナンス時におけるファンモータ１７の取り外し作業について説明する。
図５（ａ）に示すように、モータバンド３１の取付け部３２とモータベース２１の取付け片２６が取付け具３８により締結固定されている。この状態から取付け具３８を取り外す。取付け具３８を取り外すことにより、ファンモータ１７の重さにより、モータベース３１の取付け部３２がモータベース２１の取付け片２６から離間するように下方に移動する。ここで、モータバンド３１のスリット３７とファンベース２１の固定用爪２５との掛合状態は保持されたままであり、この掛合部分を中心にしてモータバンド３１が下方に回動する。
ある程度回動すると、図６（ａ）に示すように、モータバンド３１の仮掛け用孔３３ａの端縁部にモータベース２１の仮掛け用爪２７の基部２７ａが当接し、モータバンド３１の回動が規制される。つまり、モータバンド３１の仮掛け用孔３３ａの掛合部３３ａ２が、モータベース２１の仮掛け用爪２７の突出部３７ｂと掛合し、図５（ｂ）に示すように、モータバンド３１はモータベース２１に仮掛けされた状態となる。モータバンド３１の回動により、ファンモータ１７も下方に降下するが、仮掛けされたモータバンド３１により、ファンモータ１７はファンベース２１に仮固定された状態となる。このモータバンド３１の仮掛け状態においては、モータバンド３１の仮掛け用孔３３ａの掛合部３３ａ２と、モータベース２１の仮掛け用爪２７の突出部３７ｂとが掛合するため、モータバンド３１がファンモータ１７の軸方向に位置ずれすることがなく、仮掛け状態におけるファンモータ１７の不用意な落下を防ぐことができる。
【００３４】
この状態から、図５（ｃ）に示すように、モータバンド３１の取付け部３２側を上方に押し上げ、図６（ｂ）に示すように、仮掛け用孔３３ａの掛合部３３ａ２と仮掛け用爪２７の突出部２７ｂとの掛合を解く。この状態で、図６（ｃ）に示すように、モータバンド３１の取付け部３２側を外方に移動させる。仮掛け用孔３３ａから仮掛け用爪２７が抜き去られ、モータバンド３１の仮掛け状態が解除される。これにより、図５（ｄ）に示すように、モータバンド３１は仮掛け状態のときよりも大きく回動する。ファンモータ１７は、モータバンド３１によるモータベース２１への仮固定が解除され、モータベース２１から取り外すことができる。
【００３５】
このファンモータ１７の取り外し作業において、取付け具３８を取り外しても、モータバンド３１がモータベース２１に仮掛けされた状態となり、ファンモータ１７はモータバンド３１に支持されるので、ファンモータ１７が落下することがない。このとき、ファンモータ１７を片手で支持しつつ、もう片方の手でモータバンド３１の仮掛けを解除することで、ファンモータ１７をモータベース２１から取り外すことができる。つまり、従来のファンモータ１７を支持する作業員が不要となり、従来二人で行っていたファンモータ１７の取り外し作業を一人で行うことができる。
【００３６】
次に、メンテナンス時におけるファンモータ１７の取り付けについて説明する。
ファンモータ１７を用意してモータ本体１７ａをモータベース２１のモータ支持板部２２相互間に挿入し、モータ本体１７ａの両側面に突設されるボス部１７ｂをモータ支持板部２２のモータ受け部２４に嵌め込む。
ファンモータ１７を片手で支持しながら、もう片方の手でモータバンド３１を用意し、図５（ｄ）に示すように、モータバンド３１の直状部３６の先端部に設けられるスリット３７をモータ支持板部２２の固定用爪２５に掛合させる。この掛合部分を中心にしてモータバンド３１を上方に回動させ、ファンモータボス部１７ｂにモータバンド３１の曲成部３５を沿わせながらモータバンド３１端部の取付け部３２をモータ支持板部２２の取付け片２６に対向させる。このとき、図６（ｂ）に示すように、モータバンド３１端部の取付け部３２の仮掛け用孔３３ａにモータ支持板部２２の仮掛け用爪２７を挿入する。
この状態でモータバンド３１から手を離すと、モータバンド３１は、自重およびファンモータ１７の重さでスリット３７と固定用爪２５の掛合部分を中心して下方に回動し、図５（ｂ）で示すように、モータベース２１に仮掛けされた状態となる。つまり、図６（ａ）に示すように、モータバンド３１の仮掛け用孔３３ａの掛合部３３ａ２がモータベース２１の仮掛け用爪２７の突出部３７ｂと掛合する。このとき、モータバンド３１の取付け用孔３２ａとモータベース２１の取付け用孔２６ａは対向しており、これら孔部に取付け具３８を挿入し、締結固定する。取付け具３８を締結することにより、モータベース３１は、スリット３７と固定用爪部２５の掛合部を中心に上方に回動し、最終的に、図５（ａ）に示すように、ファンモータ１７は、モータバンド３１によりモータベース２１に固定される。なお、取付け具３８の締結の最中、モータバンド３１の仮掛け用孔３３ａの掛合部３３ａ２とモータベース２１の仮掛け用爪２７の突出部２７ｂとの掛合が解かれるが、モータバンド３１の仮掛け用片部３３と位置決め用片部３４との間に取付け片２６の両側縁が掛合するので、モータバンド３１がファンモータ１７の軸方向に位置ずれすることがなく、固定具３８の締結途中におけるファンモータ１７の不用意な落下を防ぐことができる。
【００３７】
このファンモータ１７の取り付け作業においても、ファンモータ取り外し作業と同様に、モータバンド３１がモータベース２１に仮掛けされた状態ではファンモータ１７が落下することがない。つまり、従来のファンモータ１７を支持するだけの作業員が不要となり、従来二人で行っていたファンモータ１７の取り外し作業を一人で行うことができる。
【００３８】
以上のように本実施形態のビルトイン型空気調和機１００によれば、ファンモータ１７の着脱が容易に行え、メンテナンス性が向上する。
【００３９】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１…本体、 ２…送風機室、３…熱交換器室、４…仕切板、５…送風機、６…熱交換器、１７…ファンモータ、２０…ファンモータベース組立、２１…モータベース、２２…モータバンド、２７…仮掛け用爪、３３ａ…仮掛け用孔
【図１】
0005855998.tif 000002
【図２】
0005855998.tif 000003
【図３】
0005855998.tif 000004
【図４】
0005855998.tif 000005
【図５】
0005855998.tif 000006
【図６】
0005855998.tif 000007